(57)【要約】【課題】低コストであり、操作性がよく、持ち運ぶ際に表示画面が傷つかず、且つ、車両に設置した際に表示画面が見やすいナビゲーション装置を提供する。【解決手段】現在位置を測位して表示部３に表示するナビゲーション装置１において、表示部が前面側に配置された装置本体部２と、装置本体部２の上端に回動自在に設けられ、ＧＰＳ衛星から送信されたＧＰＳ信号を受信する平面状のＧＰＳアンテナ部５と、を備え、ＧＰＳアンテナ部５は、回動することによって、表示部３の表示画面３１全体を露出させた状態と、表示部３の表示画面３１全体を覆った状態と、に切り替わるように構成した。【選択図】図１
2008101999.tif 000002
【特許請求の範囲】
【請求項１】
現在位置を測位して表示部に表示する携帯可能なナビゲーション装置において、
前記表示部が前面側に配置された装置本体部と、
前記装置本体部の上端に回動自在に設けられ、ＧＰＳ衛星から送信されたＧＰＳ信号を受信する平面状のＧＰＳアンテナ部と、
前記ＧＰＳアンテナ部の仰角を調整する仰角調整機構と、
を備え、
前記ＧＰＳアンテナ部は、
回動することによって、前記表示部の表示画面全体を露出させた状態と、前記表示部の表示画面全体を覆った状態と、に切り替わるように構成されており、
前記表示部の表示画面に対して略垂直な状態で、前後方向にスライド自在であることを特徴とするナビゲーション装置。
【請求項２】
現在位置を測位して表示部に表示するナビゲーション装置において、
前記表示部が前面側に配置された装置本体部と、
前記装置本体部の上端に回動自在に設けられ、ＧＰＳ衛星から送信されたＧＰＳ信号を受信する平面状のＧＰＳアンテナ部と、
を備え、
前記ＧＰＳアンテナ部は、回動することによって、前記表示部の表示画面全体を露出させた状態と、前記表示部の表示画面全体を覆った状態と、に切り替わるように構成されていることを特徴とするナビゲーション装置。
【請求項３】
請求項２に記載のナビゲーション装置において、
前記ＧＰＳアンテナ部の仰角を調整する仰角調整機構を備えていることを特徴とするナビゲーション装置。
【請求項４】
請求項２又は３に記載のナビゲーション装置において、
前記ＧＰＳアンテナ部は、前記表示部の表示画面に対して略垂直な状態で、前後方向にスライド自在であることを特徴とするナビゲーション装置。
【発明の詳細な説明】
【技術分野】
【０００１】
本発明は、ナビゲーション装置に関する。
【背景技術】
【０００２】
従来、車両等に設置され、ＧＰＳ（Global Positioning System：全地球測位システム）等を利用して車両等の現在位置を測位して、その測位した車両等の現在位置を地図情報とともに表示画面上に表示するナビゲーション装置が知られている。
【０００３】
車両に設置されるナビゲーション装置の１つに、車外でも使用可能なポータブル型のナビゲーション装置がある。
ポータブル型のナビゲーション装置を、車外に持ち出して、例えば、カバン等に入れて持ち運ぶ際、表示画面を保護していないと、表示画面を傷付けてしまう等の問題があり、その一方で、表示画面を保護するために袋に入れると、ナビゲーション装置の使用時にその袋が邪魔になる等の問題がある。
【０００４】
そこで、例えば、装置本体に開閉可能なカバーを備え、表示画面を装置本体とカバーとのそれぞれに配置し、カバーを閉じると表示画面を保護できるナビゲーション装置（例えば、特許文献１参照）や、装置本体を折り畳み自在に連結された複数の器体で形成し、表示画面が配置された器体と、入力用のキーが備えられた器体と、を折り畳みことによって、入力用のキーが備えられた器体で表示画面を保護できるナビゲーション装置（例えば、特許文献２参照）などが提案された。
【０００５】
さらに、例えば、一対のコ字状を成すアンテナが、筐体の前面側に配置された表示画面を挟んで筐体の上下面にそれぞれ取り付けられ、且つ筐体の上下面側から前面側に向かって折り畳み展開可能なように取り付けられたテレビジョン受信機（例えば、特許文献３参照）のように、一対のコ字状を成すＧＰＳアンテナで表示画面を保護する構成も考えられる。
また、例えば、平面アンテナ本体と薄型チューナとを重合一体化してアンテナユニットを形成し、このアンテナユニットに仰角調整手段を介してアンテナユニットを支持するベースを設けるとともに、テレビジョン本体に折り畳み自在なベースを設けて、アンテナユニット側のベースとテレビジョン本体側のベースとの間に、これらのベースを着脱自在で且つ回動自在に結合する結合手段を設け、これら結合されたベース上にテレビジョン本体とアンテナユニットとを折り畳み可能にしてなるテレビジョン受信機（例えば、特許文献４参照）のように、ＧＰＳアンテナユニットを支持するベースを設けるとともに、ナビゲーション装置本体部に折り畳み自在なベースを設けて、これらのベースを着脱自在で且つ回動自在に結合する結合手段を設け、これら結合されたベース上にナビゲーション装置本体部とＧＰＳアンテナユニットとを折り畳み可能にして、ＧＰＳアンテナユニットで表示画面を保護する構成も考えられる。
【特許文献１】特開２００５−１３４１５１号公報
【特許文献２】特開平９−１４５３８５号公報
【特許文献３】特開２００５−２１７８９５号公報
【特許文献４】特開平６−９８２８２号公報
【発明の開示】
【発明が解決しようとする課題】
【０００６】
しかしながら、特許文献１のナビゲーション装置は、表示画面が装置本体とカバーとに配置されているため、車両に設置した際に表示画面が見にくいという問題がある。
また、特許文献２のナビゲーション装置は、入力キーが備えられた器体を回動するための回動機構だけでなく、さらに、ＧＰＳ信号の受信感度を向上させるためのＧＰＳアンテナ回動機構も設けられており、回動機構が複数あってコストがかかるという問題がある。
【０００７】
また、特許文献３のテレビジョン受信機のように構成しても、そのＧＰＳアンテナでは、表示画面全体を保護することができないため、例えば、カバン等に入れて持ち運ぶ際に、表示画面を傷付けてしまう等の問題を、十分に解決することができない。
また、特許文献４のテレビジョン受信機のように構成すると、ベースや結合手段などの新たな部材が必要になるため、コストがかかるという問題があり、また、その折り畳み方が複雑なため、操作性が悪いという問題がある。
【０００８】
本発明の課題は、低コストであり、操作性がよく、持ち運ぶ際に表示画面が傷つかず、且つ、車両に設置した際に表示画面が見やすいナビゲーション装置を提供することにある。
【課題を解決するための手段】
【０００９】
上記課題を解決するために、請求項１に記載の発明は、
現在位置を測位して表示部に表示する携帯可能なナビゲーション装置において、
前記表示部が前面側に配置された装置本体部と、
前記装置本体部の上端に回動自在に設けられ、ＧＰＳ衛星から送信されたＧＰＳ信号を受信する平面状のＧＰＳアンテナ部と、
前記ＧＰＳアンテナ部の仰角を調整する仰角調整機構と、
を備え、
前記ＧＰＳアンテナ部は、
回動することによって、前記表示部の表示画面全体を露出させた状態と、前記表示部の表示画面全体を覆った状態と、に切り替わるように構成されており、
前記表示部の表示画面に対して略垂直な状態で、前後方向にスライド自在であることを特徴とする。
【００１０】
請求項２に記載の発明は、
現在位置を測位して表示部に表示するナビゲーション装置において、
前記表示部が前面側に配置された装置本体部と、
前記装置本体部の上端に回動自在に設けられ、ＧＰＳ衛星から送信されたＧＰＳ信号を受信する平面状のＧＰＳアンテナ部と、
を備え、
前記ＧＰＳアンテナ部は、回動することによって、前記表示部の表示画面全体を露出させた状態と、前記表示部の表示画面全体を覆った状態と、に切り替わるように構成されていることを特徴とする。
【００１１】
請求項３に記載の発明は、
請求項２に記載のナビゲーション装置において、
前記ＧＰＳアンテナ部の仰角を調整する仰角調整機構を備えていることを特徴とする。
【００１２】
請求項４に記載の発明は、
請求項２又は３に記載のナビゲーション装置において、
前記ＧＰＳアンテナ部は、前記表示部の表示画面に対して略垂直な状態で、前後方向にスライド自在であることを特徴とする。
【発明の効果】
【００１３】
請求項１に記載の発明によれば、表示部が前面側に配置された装置本体部と、装置本体部の上端に回動自在に設けられ、ＧＰＳ衛星から送信されたＧＰＳ信号を受信する平面状のＧＰＳアンテナ部と、を備え、ＧＰＳアンテナ部は、回動することによって、表示部の表示画面全体を露出させた状態と、表示部の表示画面全体を覆った状態と、に切り替わるように構成されている。
すなわち、ＧＰＳアンテナ部を回動させるための１つの回動機構だけで、ＧＰＳアンテナ部におけるＧＰＳ信号の受信感度を向上させることができるとともに、表示部の表示画面も保護することができるため、低コストである。
また、ＧＰＳアンテナ部を回動させるだけで、表示画面全体を露出させた状態と、表示画面全体を覆った状態と、に切り替えることができるため、操作性がよい。
また、平面状のＧＰＳアンテナ部によって表示画面全体を覆うことができるため、ナビゲーション装置をカバン等に入れて持ち運ぶ際に、表示画面が傷つくことがない。
また、表示画面が装置本体部のみに配置されているため、表示画面が装置本体部とカバー部（例えば、ＧＰＳアンテナ部）とに配置されている場合と比べて、車両に設置した際に表示画面が見やすい。
【００１４】
また、ＧＰＳアンテナ部の仰角を調整する仰角調整機構を備えているため、仰角調整機構によって、表示画面全体を露出させた状態と、表示画面全体を覆った状態と、を保持することができる。
【００１５】
また、ＧＰＳアンテナ部は、表示部の表示画面に対して略垂直な状態で、前後方向にスライド自在である。
すなわち、ＧＰＳアンテナ部は、スライドすることによって、装置本体部の前面（表示画面が配置された面）の上部に張り出した状態と、装置本体部の後面の上部に張り出した状態と、に切り替わるように構成されている。
したがって、ＧＰＳアンテナ部は、装置本体部の前面の上部に張り出した状態に切り替わることによって、表示画面の日除けになるため、表示画面をより見やすくすることができるとともに、装置本体部の後面の上部に張り出した状態に切り替わることによって、ナビゲーション装置を車両に設置した際にフロントガラスに接近するため、ＧＰＳ信号がより受信しやすくなる。
【００１６】
請求項２に記載の発明によれば、表示部が前面側に配置された装置本体部と、装置本体部の上端に回動自在に設けられ、ＧＰＳ衛星から送信されたＧＰＳ信号を受信する平面状のＧＰＳアンテナ部と、を備え、ＧＰＳアンテナ部は、回動することによって、表示部の表示画面全体を露出させた状態と、表示部の表示画面全体を覆った状態と、に切り替わるように構成されている。
すなわち、ＧＰＳアンテナ部を回動させるための１つの回動機構だけで、ＧＰＳアンテナ部におけるＧＰＳ信号の受信感度を向上させることができるとともに、表示部の表示画面も保護することができるため、低コストである。
また、ＧＰＳアンテナ部を回動させるだけで、表示画面全体を露出させた状態と、表示画面全体を覆った状態と、に切り替えることができるため、操作性がよい。
また、平面状のＧＰＳアンテナ部によって表示画面全体を覆うことができるため、ナビゲーション装置をカバン等に入れて持ち運ぶ際に、表示画面が傷つくことがない。
また、表示画面が装置本体部のみに配置されているため、表示画面が装置本体部とカバー部（ＧＰＳアンテナ部）とに配置されている場合と比べて、車両に設置した際に表示画面が見やすい。
【００１７】
請求項３に記載の発明によれば、請求項２に記載の発明と同様の効果が得られることは無論のこと、ＧＰＳアンテナ部の仰角を調整する仰角調整機構を備えているため、仰角調整機構によって、表示画面全体を露出させた状態と、表示画面全体を覆った状態と、を保持することができる。
【００１８】
請求項４に記載の発明によれば、請求項２又は３に記載の発明と同様の効果が得られることは無論のこと、ＧＰＳアンテナ部は、表示部の表示画面に対して略垂直な状態で、前後方向にスライド自在である。
すなわち、ＧＰＳアンテナ部は、スライドすることによって、装置本体部の前面（表示画面が配置された面）の上部に張り出した状態と、装置本体部の後面の上部に張り出した状態と、に切り替わるように構成されている。
したがって、ＧＰＳアンテナ部は、装置本体部の前面の上部に張り出した状態に切り替わることによって、表示画面の日除けになるため、表示画面をより見やすくすることができるとともに、装置本体部の後面の上部に張り出した状態に切り替わることによって、ナビゲーション装置を車両に設置した際にフロントガラスに接近するため、ＧＰＳ信号がより受信しやすくなる。
【発明を実施するための最良の形態】
【００１９】
以下、図を参照して、本発明にかかるナビゲーション装置の最良の形態を詳細に説明する。なお、発明の範囲は、図示例に限定されない。
【００２０】
＜ナビゲーション装置の構成＞
ナビゲーション装置１は、例えば、車両に後付け可能に構成されたポータブル型のカーナビゲーション装置であり、例えば、車両のダッシュボードなどの上に設置されて、或いは、ユーザにより携帯されて、現在位置を測位して表示部３に表示するとともに、目的地までの経路の検索、表示及びユーザへの通知を行う装置である。
【００２１】
図１は、本発明のナビゲーション装置１の正面図であり、図２〜図４は、本発明のナビゲーション装置１の側面図である。
なお、以下の説明では、ナビゲーション装置１の使用時に、ユーザが見る側（すなわち、表示部３が配置された側）を前側とし、前側に対向する側を後側とするとともに、ユーザから見て上になる側を上側とし、下になる側を下側とする。そして、前後方向及び上下方向の双方に直交する方向を左右方向とする。
【００２２】
具体的には、ナビゲーション装置１は、例えば、外形が左右方向に長尺な略直方体状に形成された装置本体部２と、装置本体部２前面側の中央付近に配置された表示部３と、装置本体部２前面側の表示部３を挟んで左側及び右側に配置され、ユーザがナビゲーション装置１に対して各種指示を入力するための操作部４と、装置本体部２の上端に回動自在に設けられた平面状のＧＰＳアンテナ部５と、等を備えて構成される。
【００２３】
装置本体部２前面における左右方向中央には、例えば、当該前面を後方向に陥没させて形成させた第１凹部２ａが形成されている。
第１凹部２ａには、例えば、表示部３が配置されており、表示部３の表示画面３１は、例えば、第１凹部２ａの底面から露出している。
【００２４】
また、装置本体部２の上面における第１凹部２ａの上端には、例えば、当該上面を下方向に陥没させて形成させた第２凹部２ｂが形成されている。
第２凹部２ｂの左右の側面における第１凹部２ａの底面よりも前方には、例えば、内側に向かって突出するように略Ｔ字状の突出部２２，２２が設けられている。
【００２５】
突出部２２は、例えば、軸部２２ａと、軸部２２ａの先端に設けられた軸部２２ａよりも直径が大きい頭部２２ｂと、等から構成されており、例えば、ＧＰＳアンテナ部５に設けられた溝部５ａ（後述）に係合して、ＧＰＳアンテナ部５を係止している。
具体的には、突出部２２は、例えば、ＧＰＳアンテナ部５が表示画面３１側（装置本体部２前面側）に位置している場合には、ＧＰＳアンテナ部５を、軸部２２ａの軸心（左右方向の軸心）周りに上下方向に回動自在に係止し、ＧＰＳアンテナ部５が表示画面３１に対して略垂直に位置している場合には、ＧＰＳアンテナ部５を、前後方向に移動自在に係止している。
【００２６】
ＧＰＳアンテナ部５は、例えば、略矩形状の枠体５１と、枠体５１に内蔵され、ＧＰＳ衛星から送信されたＧＰＳ信号を受信するためのアンテナ本体５２と、枠体５１に内蔵され、アンテナ本体５２によるＧＰＳ信号の受信感度を向上させるための図示しない部材（金属シート等）と、等を備えて構成される。
【００２７】
アンテナ本体５２は、例えば、ＧＰＳアンテナ部５が表示画面３１に対して略垂直な状態において、ＧＰＳアンテナ部５の上面側に配置されるように、枠体５１に内蔵されている。
【００２８】
枠体５１は、例えば、装置本体部２の第１凹部２ａや第２凹部２ｂよりも左右方向の長さが若干小さく形成されている。
したがって、ＧＰＳアンテナ部５は、例えば、ＧＰＳアンテナ部５が表示画面３１の全体を覆った状態で、後面（アンテナ本体５２が配置された面に対向する面）が第１凹部２ａに収まるようになっており、例えば、ＧＰＳアンテナ部５が表示画面３１に対して略垂直な状態で、下面（アンテナ本体５２が配置された面に対向する面）が第２凹部２ｂに収まるようになっている。
【００２９】
枠体５１の左右の側面には、例えば、ＧＰＳアンテナ部５が表示画面３１の全体を覆った状態における当該側面の上端よりもやや下側から当該側面の下端よりもやや上側に渡って、例えば、装置本体部２の突出部２２，２２が係合する略Ｔ字状の溝部５ａ，５ａが設けられている。
そして、ＧＰＳアンテナ部５は、例えば、ＧＰＳアンテナ部５が表示画面３１側（装置本体部２前面側）に位置している場合には、ＧＰＳアンテナ部５が表示画面３１の全体を覆った状態における溝部５ａの上端付近と、装置本体部２の突出部２２と、が係合した状態で、上下方向に回動自在であり、例えば、ＧＰＳアンテナ部５が表示画面３１に対して略垂直に位置している場合には、溝部５ａの一部と、装置本体部２の突出部２２と、が係合した状態で、前後方向にスライド自在である。
【００３０】
ここで、例えば、装置本体部２の突出部２２と、ＧＰＳアンテナ部５が表示画面３１全体を覆った状態におけるＧＰＳアンテナ部５の溝部５ａの上端付近と、が係合されることによって、ＧＰＳアンテナ部５の仰角を調整する仰角調整機構６が構成される。
具体的には、例えば、図４に示すように、溝部５ａの上端付近には溝部５ａの周方向に沿って複数の凹部６ｂ，…が設けられているとともに、突出部２２の頭部２２ｂには凹部６ｂと係合可能な凸部６ａが設けられており、凸部６ａと、複数の凹部６ｂ，…と、によって仰角調整機構６が構成されている。
【００３１】
仰角調整機構６は、例えば、ＧＰＳアンテナ部５が表示画面３１全体を覆った状態と、ＧＰＳアンテナ部５が表示画面３１に対して略垂直な状態と、を保持するとともに、ＧＰＳアンテナ部５が上下方向に回動している途中でＧＰＳアンテナ部５の仰角が所定の角度に達すると、その状態を保持するようになっている。
【００３２】
＜ＧＰＳアンテナ部の動作＞
次に、ナビゲーション装置１におけるＧＰＳアンテナ部５の動作について説明する。
【００３３】
例えば、ＧＰＳアンテナ部５は、表示画面３１全体を覆った状態（例えば、図１（ａ），図２（ａ））において、前側に向かって上向きの力が加わると、仰角調整機構６によってＧＰＳアンテナ部５の仰角を数段階に切り替えながら上方向に回動し（例えば、図２（ｂ））、やがて、表示画面３１全体を露出させた状態（例えば、図１（ｂ），図２（ｃ），図３（ａ））に切り替わる。この表示画面３１全体を露出させた状態は、仰角調整機構６によって保持されることとなる。
【００３４】
そして、例えば、ＧＰＳアンテナ部５は、表示画面３１全体を露出させた状態で且つ装置本体部２前面の上部に張り出した状態（例えば、図１（ｂ），図２（ｃ），図３（ａ））において、後向きの力が加わると、後方向にスライドし（例えば、図３（ｂ））、やがて、表示画面３１全体を露出させた状態で且つ装置本体部２後面の上部に張り出した状態（例えば、図３（ｃ））に切り替わる。
【００３５】
また、例えば、ＧＰＳアンテナ部５は、表示画面３１全体を露出させた状態で且つ装置本体部２後面の上部に張り出した状態（例えば、図３（ｃ））において、前向きの力が加わると、前方向にスライドし（例えば、図３（ｂ））、やがて、表示画面３１全体を露出させた状態で且つ装置本体部２前面の上部に張り出した状態（例えば、図１（ｂ），図２（ｃ），図３（ａ））に切り替わる。
【００３６】
そして、例えば、ＧＰＳアンテナ５は、表示画面３１全体を露出させた状態（例えば、図１（ｂ），図２（ｃ），図３（ａ））において、後側に向かって下方向の力が加わると、仰角調整機構６によってＧＰＳアンテナ部５の仰角を数段階に切り替えながら下方向に回動し（例えば、図２（ｂ））、やがて、表示画面３１全体を覆った状態（例えば、図１（ａ），図２（ａ））に切り替わる。この表示画面３１全体を覆った状態は、仰角調整機構６によって保持されることとなる。
【００３７】
以上説明した本発明のナビゲーション装置１によれば、現在位置を測位して表示部３に表示することができ、表示部３が前面側に配置された装置本体部２と、装置本体部２の上端に回動自在に設けられ、ＧＰＳ衛星から送信されたＧＰＳ信号を受信する平面状のＧＰＳアンテナ部５と、を備え、ＧＰＳアンテナ部５は、回動することによって、表示部３の表示画面３１全体を露出させた状態と、表示部３の表示画面３１全体を覆った状態と、に切り替わるように構成されている。
すなわち、ＧＰＳアンテナ部５を回動させるための１つの回動機構だけで、ＧＰＳアンテナ部５におけるＧＰＳ信号の受信感度を向上させることができるとともに、表示部３の表示画面３１も保護することができるため、低コストである。
また、ＧＰＳアンテナ部５を回動させるだけで、表示画面３１全体を露出させた状態と、表示画面３１全体を覆った状態と、に切り替えることができるため、操作性がよい。
また、平面状のＧＰＳアンテナ部５によって表示画面３１全体を覆うことができるため、ナビゲーション装置１をカバン等に入れて持ち運ぶ際に、表示画面３１が傷つくことがない。
また、表示画面３１が装置本体部２のみに配置されているため、表示画面３１が装置本体部２とカバー部（例えば、ＧＰＳアンテナ部５）とに配置されている場合と比べて、車両に設置した際に表示画面３１が見やすい。
【００３８】
また、ＧＰＳアンテナ部５の仰角を調整する仰角調整機構６を備えているため、仰角調整機構６によって、表示画面３１全体を露出させた状態と、表示画面３１全体を覆った状態と、を保持することができる。
【００３９】
また、ＧＰＳアンテナ部５は、表示部３の表示画面３１に対して略垂直な状態で、前後方向にスライド自在である。
すなわち、ＧＰＳアンテナ部５は、スライドすることによって、装置本体部２前面（表示画面３１が配置された面）の上部に張り出した状態と、装置本体部２後面の上部に張り出した状態と、に切り替わるように構成されている。
したがって、ＧＰＳアンテナ部５は、装置本体部２前面の上部に張り出した状態に切り替わることによって、表示画面３１の日除けになるため、表示画面３１をより見やすくすることができるとともに、装置本体部２の後面の上部に張り出した状態に切り替わることによって、ナビゲーション装置１を車両に設置した際にフロントガラスに接近するため、ＧＰＳ信号がより受信しやすくなる。
【００４０】
なお、本発明は、上記した実施の形態のものに限るものではなく、その要旨を逸脱しない範囲で適宜変更可能である。
具体的には、ナビゲーション装置１の形状や仰角調整機構６の構成などは、上記実施形態に例示したものは一例であり、これらに限られるものではない。
【図面の簡単な説明】
【００４１】
【図１】本発明のナビゲーション装置において、ＧＰＳアンテナ部によって表示画面全体を覆った状態の正面図（ａ）と、ＧＰＳアンテナ部によって表示画面全体を露出させた状態の正面図（ｂ）と、である。
【図２】本発明のナビゲーション装置において、ＧＰＳアンテナ部によって表示画面全体を覆った状態の側面図（ａ）と、ＧＰＳアンテナ部によって表示画面全体を覆った状態と露出させた状態とを切り替える途中の状態の側面図（ｂ）と、ＧＰＳアンテナ部によって表示画面全体を露出させた状態の側面図（ｃ）と、である。
【図３】本発明のナビゲーション装置において、ＧＰＳアンテナ部が装置本体部の前面の上部に張り出した状態の側面図（ａ）と、ＧＰＳアンテナ部が装置本体部の前面の上部に張り出した状態と後面の上部に張り出した状態とを切り替える途中の状態の側面図（ｂ）と、ＧＰＳアンテナ部が装置本体部の後面の上部に張り出した状態の側面図（ｃ）と、である。
【図４】ＧＰＳアンテナ部によって表示画面全体を覆った状態の側面図であって仰角調整機構付近の拡大図（ａ）と、ＧＰＳアンテナ部によって表示画面全体を露出させた状態の側面図であって仰角調整機構付近の拡大図（ｂ）と、である。
【符号の説明】
【００４２】
１  ナビゲーション装置
２  装置本体部
３  表示部
５  ＧＰＳアンテナ部
６  仰角調整機構
３１  表示画面
【図１】
2008101999.tif 000003
【図２】
2008101999.tif 000004
【図３】
2008101999.tif 000005
【図４】
2008101999.tif 000006